(57)【要約】【課題】簡易に各種の設定項目の設定を行うことが可能な電力測定装置を提供する。【解決手段】電力測定装置１０は、各種の設定に関する情報を一連の表示順序に従って表示装置６１に表示させる制御を行う表示制御手段３０と、表示制御手段３０での表示制御に基づいて測定に際して必要とされる設定を行う設定手段５０とを備え、表示制御手段３０は、結線方式をユーザに選択させるための結線方式選択部１０１を表示装置６１に表示させる制御を行い、その後に電圧結線図を表示装置６１に表示させる制御を行い、さらに電圧結線図の表示に前後して、電流結線図を表示装置６１に表示させる制御を行い、その後に、被測定電路からの電流に関する情報と共に電流レンジをユーザに選択させるための電流レンジ選択部１４１を表示装置６１に表示させる制御を行う。設定手段５０は、選択に基づく結線方式の設定を行い、選択に基づく電流レンジの設定を行う。【選択図】図２
2014025806.tif 000002
【特許請求の範囲】
【請求項１】
被測定電路の電力の測定を行う電力測定装置であって、
前記電力の測定に際して必要とされる各種の設定に関する情報を、一連の表示順序に従って表示装置に表示させる制御を行う表示制御手段と、
前記表示制御手段での表示制御に基づいて前記被測定電路の測定に際して必要とされる設定を行う設定手段とを備え、
前記表示制御手段は、
前記被測定電路における前記電力の測定に必要な設定に関して、前記被測定電路との間の結線方式をユーザに選択させるための結線方式選択部を前記表示装置に表示させる制御を行い、
前記一連の表示順序において前記結線方式選択部を表示させる制御の後に、前記被測定電路の電圧結線に必要な電圧結線図を前記表示装置に表示させる制御を行い、
さらに前記一連の表示順序において前記電圧結線図の前記表示装置の表示制御に前後して、前記被測定電路の電流結線に必要な電流結線図を前記表示装置に表示させる制御を行い、
前記一連の表示順序において前記電流結線図の表示制御の後に、前記被測定電路から入力される電流に関する情報と共に電流レンジをユーザに選択させるための電流レンジ選択部を前記表示装置に表示させる制御を行い、
前記設定手段は、
前記結線方式選択部での前記結線方式の選択に基づいて当該結線方式の設定を行い、
前記電流レンジ選択部での前記電流レンジの選択に基づいて当該電流レンジの設定を行う、
ことを特徴とする電力測定装置。
【請求項２】
請求項１記載の電力測定装置であって、
前記表示制御手段は、
前記電圧結線図の表示に際して、前記電圧結線が正しいか否かを判定し、その判定結果を示す電圧判定結果表示部を前記表示装置に表示させる制御を行う、
ことを特徴とする電力測定装置。
【請求項３】
請求項１または２記載の電力測定装置であって、
前記表示制御手段は、
前記一連の表示順序において前記電流レンジ選択部での前記電流レンジの後に、前記電流結線が正しいか否かを判定し、その判定結果を示す電流判定結果表示部を前記表示装置に表示させる制御を行う、
ことを特徴とする電力測定装置。
【請求項４】
請求項２記載の電力測定装置であって、
前記表示制御手段は、
前記一連の表示順序において前記電圧判定結果表示部の表示制御の後に、前記被測定電路の電流結線に必要な電流結線図を前記表示装置に表示させる制御を行う、
ことを特徴とする電力測定装置。
【請求項５】
請求項１から４のいずれか１項に記載の電力測定装置であって、
前記表示制御手段は、前記一連の表示順序において、前記電圧結線図の表示制御、前記電流レンジ選択部の表示制御、前記電圧判定結果表示部の表示制御、前記電流判定結果表示部のうち、いずれかの後の表示制御の後に、前記被測定電路の電力の測定開始を確認するための開始確認選択部を前記表示装置に表示させる制御を行い、
前記設定手段は、前記開始確認選択部での測定開始の選択に基づいて、前記電力の測定開始のための設定を行う、
ことを特徴とする電力測定装置。
【請求項６】
請求項１から５のいずれか１項に記載の電力測定装置であって、
前記表示制御手段でのそれぞれの前記表示制御において、前記表示制御手段は、前記一連の表示順序における以後の表示制御を終了する制御を行う、
ことを特徴とする電力測定装置。
【発明の詳細な説明】
【技術分野】
【０００１】
本発明は、交流電力を測定するための電力測定装置に関する。
【背景技術】
【０００２】
たとえば単相２線、三相３線、三相４線といった交流電力を測定するために、電力測定装置が用いられている。この電力測定装置は、電圧コードとクランプセンサとを介して、電圧および電流（電流に対応する信号）が入力され、電圧や電流を始めとして、種々の測定が可能となっている。
【０００３】
このような電力測定装置としては、たとえば特許文献１に示すものがある。特許文献１に示す電力測定装置は設定部を備えていて、この設定部を介して、測定に必要な各種の項目が、ユーザによって入力される。また、クランプセンサを誤結線した場合に、その誤結線がどのクランプセンサで生じているかを表示可能となっている。
【先行技術文献】
【特許文献】
【０００４】
【特許文献１】特開２０００−２５８４８４号公報
【発明の概要】
【発明が解決しようとする課題】
【０００５】
ところで、特許文献１では、設定部を介して測定に必要な各種の設定項目をユーザが設定する必要はある。また、特許文献１においては、電流結線の誤りを表示可能となってはいる。しかしながら、設定項目には、電流結線を正しく行うことを含めて種々のものがある。そのため、上述の各種の項目の設定は、ユーザにとって煩わしく、各種の設定項目を覚えるまでの間、ユーザは取扱説明書をその都度確認する必要がある。
【０００６】
具体的には、ある設定項目において設定を行う場合、取扱説明書を読みながらその設定に対応するボタンを押し、また別の項目の設定を行う場合、取扱説明書の別の頁等を読みながら、その設定に対応するボタンを押す等する。そして、全ての設定項目を適切に設定するまで、このような動作を繰り返し行うものとなっている。そのため、上述の各種の項目の設定は、ユーザにとって煩わしく、手間のかかるものとなっている。
【０００７】
本発明は上記の事情にもとづきなされたもので、その目的とするところは、簡易に各種の設定項目の設定を行うことが可能な電力測定装置を提供しよう、とするものである。
【課題を解決するための手段】
【０００８】
上記課題を解決するために、本発明の第１の観点によると、被測定電路の電力の測定を行う電力測定装置であって、電力の測定に際して必要とされる各種の設定に関する情報を、表示順序に従って表示装置に表示させる制御を行う表示制御手段と、表示制御手段での表示制御に基づいて被測定電路の測定に際して必要とされる設定を行う設定手段とを備え、表示制御手段は、被測定電路における電力の測定に必要な設定に関して、被測定電路との間の結線方式をユーザに選択させるための結線方式選択部を表示装置に表示させる制御を行い、一連の表示順序において結線方式選択部を表示させる制御の後に、被測定電路の電圧結線に必要な電圧結線図を表示装置に表示させる制御を行い、さらに一連の表示順序において電圧結線図の表示装置の表示制御に前後して、被測定電路の電流結線に必要な電流結線図を表示装置に表示させる制御を行い、一連の表示順序において電流結線図の表示制御の後に、被測定電路から入力される電流に関する情報と共に電流レンジをユーザに選択させるための電流レンジ選択部を表示装置に表示させる制御を行い、設定手段は、結線方式選択部での結線方式の選択に基づいて当該結線方式の設定を行い、電流レンジ選択部での電流レンジの選択に基づいて当該電流レンジの設定を行う、ことを特徴とする電力測定装置が提供される。
【０００９】
また、本発明の他の側面は、上述の発明において、表示制御手段は、電圧結線図の表示に際して、電圧結線が正しいか否かを判定し、その判定結果を示す電圧判定結果表示部を表示装置に表示させる制御を行う、ことが好ましい。
【００１０】
また、本発明の他の側面は、上述の発明において、表示制御手段は、一連の表示順序において電流レンジ選択部での電流レンジの後に、電流結線が正しいか否かを判定し、その判定結果を示す電流判定結果表示部を表示装置に表示させる制御を行う、ことが好ましい。
【００１１】
また、本発明の他の側面は、上述の発明において、表示制御手段は、一連の表示順序において電圧判定結果表示部の表示制御の後に、被測定電路の電流結線に必要な電流結線図を表示装置に表示させる制御を行う、ことが好ましい。
【００１２】
また、本発明の他の側面は、上述の発明において、表示制御手段は、一連の表示順序において、電圧結線図の表示制御、電流レンジ選択部の表示制御、電圧判定結果表示部の表示制御、電流判定結果表示部のうち、いずれかの後の表示制御の後に、被測定電路の電力の測定開始を確認するための開始確認選択部を表示装置に表示させる制御を行い、設定手段は、開始確認選択部での測定開始の選択に基づいて、電力の測定開始のための設定を行う、ことが好ましい。
【００１３】
また、本発明の他の側面は、上述の発明において、表示制御手段でのそれぞれの表示制御において、表示制御手段は、一連の表示順序における以後の表示制御を終了する制御を行う、ことが好ましい。
【発明の効果】
【００１４】
本発明によると、電力測定装置において、簡易に各種の設定項目の設定を行うことが可能となる。
【図面の簡単な説明】
【００１５】
【図１】本発明の一実施の形態に係る電力測定装置の外観を示す平面図である。
【図２】電力測定装置の概略的な構成を示すブロック図である。
【図３】電力測定装置で実行される設定ナビゲーション機能において実行される概略的な処理フローを示す図である。
【図４】図３の処理フローにおけるステップＳ４で表示される画面表示を示す図である。
【図５】図３の処理フローにおけるステップＳ５で表示される画面表示を示す図である。
【図６】図３の処理フローにおけるステップＳ６で表示される画面表示を示す図である。
【図７】図３の処理フローにおけるステップＳ７で表示される画面表示を示す図である。
【図８】図３の処理フローにおけるステップＳ８で表示される画面表示を示す図である。
【図９】図３の処理フローにおけるステップＳ９で表示される画面表示を示す図である。
【図１０】図３の処理フローにおけるステップＳ１０で表示される画面表示を示す図である。
【図１１】図３の処理フローにおけるステップＳ１１で表示される画面表示を示す図である。
【図１２】図３の処理フローにおけるステップＳ１２で表示される画面表示を示す図である。
【図１３】図３の処理フローにおけるステップＳ１３で表示される画面表示を示す図である。
【発明を実施するための形態】
【００１６】
以下、本発明の一実施の形態に係る電力測定装置１０について、図面に基づいて説明する。
【００１７】
＜電力測定装置１０の構成について＞
図１は、電力測定装置１０の外観を示す平面図である。また、図２は、電力測定装置１０の概略的な構成を示すブロック図である。電力測定装置１０は、電圧コード７１およびクランプセンサ７２を介して、電圧および電流（電流に対応する信号）が入力され、入力された電圧や電流に基づいて、測定対象となる電路の電力を測定するものである。
【００１８】
図２に示すように、電力測定装置１０は、入力部２０、処理部３０、記憶部４０、設定部５０および表示部６０を備えている。入力部２０は、電圧コード７１の接続部が接続される入力端子２１、およびクランプセンサ７２の接続部が接続される入力端子２２を備えている。これら入力端子２１，２２は、それぞれの測定対象の電路について電圧および電流（電流に対応する信号）を１チャンネルずつ入力可能に構成されている。
【００１９】
なお、図２に示す構成では、入力端子２１が４つ、入力端子２２が３つ設けられていて、たとえば３チャンネル分の電圧および電流（電流に対応する信号）を入力可能となっている。また、入力端子２１および入力端子２２は、チャンネル別に色分けされた状態で着色されている。また、電圧コード７１およびクランプセンサ７２も、それぞれ異なる色に着色されているが、その着色は、電圧コード７１およびクランプセンサ７２が接続されるチャンネルに対応させたものとなっている。なお、電圧コード７１やクランプセンサ７２においては、上述した着色以外に、次のような手法を用いても良い。すなわち、電圧コード７１やクランプセンサ７２につけるカラーラベルやタグ等の色を、チャンネル毎にそれぞれ変えることで、互いに識別可能としても良い。
【００２０】
ここで、入力端子２１には、電圧コード７１を介して電路の電圧が入力される。また、入力端子２２には、磁気コアを備えるクランプセンサ７２を介して交流電圧が入力されるが、この交流電圧は、電路を流れる電流に対応して生じる交流電圧となっている。
【００２１】
また、入力部２０は不図示の増幅器を備えていて、入力端子２１，２２から入力された電圧および電流は、この増幅器によって、チャンネル毎に設定されているレンジに対応した倍率で増幅される。さらに、入力部２０は不図示のＡ／Ｄ変換器を備えていて、増幅器で増幅された電圧および電流は、このＡ／Ｄ変換器によって所定のサンプリング周期毎にサンプリングされた後にデジタルデータへと変換され、処理部３０へと送出される。
【００２２】
処理部３０は、たとえばＣＰＵから構成され、記憶部４０に記憶されている動作プログラムに従って所定の処理を実行する。具体的には、処理部３０が行う処理としては、入力部２０から出力される電流データおよび電圧データを記憶部４０へ記憶させる処理と、各チャンネルで測定する電路の種類を記憶部４０に記憶させる処理と、電力の算出等に際して設定が必要となる内部項目の内容を設定する内部項目の設定処理等がある。その他にも、入力部２０から出力される電流データおよび電圧データに基づいて、高調波データや電力に関するデータを算出する処理等を実行する。なお、処理部３０には、表示部６０の表示を制御するための表示コントローラを有するものとしても良い。
【００２３】
記憶部４０は、ＲＯＭ、ＲＡＭおよびフラッシュメモリ等が該当し、処理部３０のための動作プログラムが予め記憶されていると共に、処理部３０のワークメモリとして機能する。なお、後述する設定データ記憶部４３に記憶される設定に関する情報は、ＲＡＭに一時的に記憶された後に、当該設定に関する情報の全部または一部が、フラッシュメモリに記憶される。本実施の形態では、フラッシュメモリは、電力測定装置１０に予め搭載されている（すなわち内部メモリが存在する）ものの、電力測定装置１０に予め搭載されていなくても良い。また、本実施の形態では、電力測定装置１０は、可搬性を有するフラッシュメモリ（メモリカード）を差し込んでデータの受け渡しを行う接続部を備える構成としている。しかしながら、電力測定装置１０は、そのような接続部を備えない構成としても良い。
【００２４】
上述の記憶部４０には、次のような記憶部がある。すなわち、簡易に各種の設定項目の設定を行うことが可能な設定ナビゲーション機能に関するプログラムを記憶するプログラム記憶部４１と、その設定ナビゲーション機構を実行する際に必要とされるナビ用データを記憶するナビ用データ記憶部４２とが存在している。また、記憶部４０には、設定部５０キー操作に基づき処理部３０から出力される設定記憶に関する信号に基づいて、電力の測定に際しての設定に関する設定データを記憶させるための設定データ記憶部４３も存在する。
【００２５】
また、記憶部４０には、実際に測定を行った際に測定データを記憶させるための測定データ記憶部４４も存在しているが、この測定データ記憶部４４は、電力測定装置１０が備える内部メモリと、メモリカードとから、後述する保存先選択部１０３で選択可能となっている。
【００２６】
設定部５０は、電力測定装置１０の筐体の表面に露出する各種の機能キー５１ａ〜５１ｈや、表示パネル６１に表示される項目を上下左右に移動して選択可能なカーソルキー５２（図１では上下左右それぞれに１つずつで合計４つ）、その４つのカーソルキー５２に囲まれた決定キー５３が該当する。その他、表示パネル６１にタッチパネルが重畳される場合には、このタッチパネルを設定部５０としても良い。また、電力測定装置１０とは別に、リモートコントローラを用いて有線または無線での通信によって表示パネル６１に表示される項目の選択や決定が可能な場合には、そのリモートコントローラを設定部５０としても良い。
【００２７】
なお、図１に示すように、機能キー５１ａ〜５１ｈには、たとえば測定値を表示させる画面に切り替えるための測定キー５１ａ、各種設定を表示させるための設定キー５１ｂ、各種ファイルを操作する場合に用いられるファイルキー５１ｃ、結線図を表示させるための結線キー５１ｄ、各種の測定の開始・終了の操作を行うための開始／停止キー５１ｅ、画面に表示されている画面データを、ＲＡＭやフラッシュメモリにコピーするための画面コピーキー５１ｆ、後述する設定ナビゲーション機能を実行するための設定ナビキー５１ｇ、各種の設定をキャンセルさせるための取消キー５１ｈ、その他の各種の機能を割り付け可能なファンクションキー５１ｉ等がある。これらそれぞれの機能キー５１ａ〜５１ｈには、その機能キー５１ａ〜５１ｈが押下された際に実行される各種のプログラムや読み出される各種のデータが、それぞれ割り当てられている。
【００２８】
表示部６０は、液晶ディスプレイや有機ＥＬ（Electro Luminescence）ディスプレイ等のような表示パネル６１（表示装置に対応）と、その表示パネル６１を駆動させる駆動回路６２等を備えていて、処理部３０での制御に基づいて、駆動回路６２が表示パネル６１を駆動させ、所定の情報を表示させる。
【００２９】
なお、処理部３０は、表示部６０の駆動回路６２と共に、あるいは処理部３０単独で、表示制御手段を構成する。また、表示部６０の表示パネル６１は表示装置に対応するが、表示パネル６１と共に駆動回路６２も表示装置に対応するものとしても良く、さらに駆動回路６２と共に処理部３０も表示装置に対応するものとしても良い。また、設定部５０は設定手段に対応するが、この設定部５０と共に処理部３０も設定手段に対応するものとしても良い。
【００３０】
＜設定ナビゲーション機能に関する動作について＞
以上のような構成の電力測定装置１０においては、簡易に各種の設定項目の設定を行うことが可能な、図３に示すような処理フローに沿って進行する設定ナビゲーション機能が実行可能となっている。この設定ナビゲーション機能は、図４から図１３に示す画面表示１００〜１９０が、一連の表示順序に従って表示されるように、処理部３０および表示部６０で制御されている。また、画面表示の中には、複数の選択肢の中からユーザが選択可能な表示部を備えるものも存在しており、複数の選択肢の中からいずれかが選択された場合には、処理部３０は、その選択肢に関する設定項目を、設定データ記憶部４３に記憶させている。以下、この設定ナビゲーション機能に関する動作について、以下に説明する。
【００３１】
ステップＳ１：ユーザは、不図示の電源ボタンを押下する等によって、電力測定装置１０の電源を投入する。すると、処理部３０での制御に基づいて、以下のステップＳ２以降の設定ナビゲーション機能に関する各処理が実行可能となる。ただし、設定によっては、電源を投入した際に、ステップＳ２以降の設定ナビゲーション機能に関する各処理を実行しないようにすることも可能である。また、電源投入時のみならず、電源が投下された後に電力測定装置１０を使用している際に、設定ナビキー５１ｇが押下された場合には、以下のステップＳ２以降の設定ナビゲーション機能に関する各処理を実行する。
【００３２】
ステップＳ２：続いて、処理部３０での表示制御に基づいて、測定に関する設定および記録設定の初期化を行うか否かの問い合わせを行う。このとき、初期化を問い合わせる画面表示（図示省略）が表示されるが、その画面表示内における「はい」の文字表記のある部分（表示部分）を選択して決定キー５３を押下するか、「はい」に対応するキー（たとえば決定キー５３）を押下すると、次のステップＳ３の処理へと進行する。ただし、画面表示内における「いいえ」の表示部分を選択して決定キー５３を押下するか、「いいえ」に対応するキー（たとえば取消キー５１ｈ）を押下すると、以後のステップＳ３以降の設定ナビゲーション機能に関する動作が終了し、ステップＳ１４において後述するような通常の画面の表示へと移行する。
【００３３】
ステップＳ３：ステップＳ２において初期化の実行に対応する「はい」の文字表記のある部分（表示部分）を選択して決定キー５３を押下するか、「はい」に対応するキー（たとえば決定キー５３）を押下すると、測定に関する設定および記録設定が初期化される。
【００３４】
ステップＳ４：続いて、処理部３０での表示制御に基づいて、電圧コード７１やクランプセンサ７２を結線するのに先立って、測定に関する各項目の設定を行う。このとき、図４に示すような画面表示１００が表示される。この図４における画面表示１００では、結線方式を複数の選択肢の中から選択する結線方式選択部１０１と、クランプセンサ７２の種類を複数の選択肢の中から選択するセンサ選択部１０２と、測定データの保存先（記憶先；具体的には測定データ記憶部４４）を複数の選択肢の中から選択する保存先選択部１０３と、時計設定を行うための時計設定選択部１０４とが表示されている。
【００３５】
なお、測定データの保存先（記憶先）の設定とは、たとえば、測定データをメモリーカードに保存（記憶）させるのか、あるいは電力測定装置１０の内部メモリに記憶させるのか等といった設定をさす。
【００３６】
その他にも、たとえば、電路を流れる交流電力の周波数を選択する周波数選択部、電圧レンジを選択する電圧レンジ選択部、ＶＴ（ＰＴ）比を選択するＶＴ比選択部、ＣＴ比を選択するＣＴ比選択部等を画面表示１００内に表示させるようにしても良いが、測定に関する各項目の設定を２画面以上の画面表示に分けて、それぞれの画面表示内でそれぞれの選択部を表示させるようにしても良い。各項目の設定が終わり、ユーザが図４における「次へ」の表示部１０５を選択し、決定キー５３を押下すると、ステップＳ４の処理へと移行する。また、ユーザが図４における「終了」の表示部１０６を選択し、決定キー５３を押下すると、以後のステップＳ５以降の設定ナビゲーション機能に関する動作が終了し、ステップＳ１４における通常の画面の表示へと移行する。
【００３７】
ここで、設定項目の中で、結線方式としては、たとえば、単相２線式、単相３線式、三相３線式、三相３線式、３相４線式等があり、それらを含めた各結線方式の中からいずれかを選択する。また、ＶＴ（ＰＴ比）の設定、およびＣＴ比の設定は、必要に応じて行われる。
【００３８】
ステップＳ５：続いて、処理部３０での表示制御に基づいて、図５に示すような画面表示１１０が表示される。この画面表示１１０では、電圧コード７１およびクランプセンサ７２と本体（電力測定装置１０）との間の接続の態様を示す図が表示されると共に、メモリーカード（フラッシュメモリ）の挿入イメージが表示される。ここでは、チャンネル別に接続される電圧コード７１およびクランプセンサ７２が、それぞれのチャンネルに対応する着色となるように表示されている。また、図５に示すような画面表示１１０においては、電圧コード７１とクランプセンサ７２に色分けがあることのメッセージも表示し、色分けに応じて電圧コード７１とクランプセンサ７２とが適切なチャンネルに接続されることが重要である（組み合わせが重要である）旨のメッセージを表示するようにしても良い。
【００３９】
なお、ユーザが、図５における「次へ」の表示部１１１を選択し、決定キー５３を押下すると、ステップＳ６の処理へと移行する（以下の各ステップでも同様）。逆に、ユーザが、図５における「戻る」の表示部１１２を選択し、決定キー５３を押下すると、ステップＳ４の処理へと戻る。
【００４０】
ステップＳ６：次に、処理部３０での表示制御に基づいて、表示パネル６１に、たとえば図６に示すような電圧結線図が表示されている画面表示１２０を表示させる。このときの電圧結線図は、上述したステップＳ４で設定された、あるいは既に設定されている結線方式に対応するものを表示させる。そして、ユーザが、電圧結線図に従って電圧コード７１を電路に結線した場合、処理部３０は、電圧結線が正しいか否かの判定を行い、画面表示１２０には、その判定結果である電圧判定結果表示部１２１が表示される。
【００４１】
ここで、上述の判定において、電圧結線が正しくないと判定された場合に、ユーザが「次へ」の文字表示のある表示部１２２を選択して決定キー５３を押下すると、電圧結線について注意を促す旨のメッセージが表示されるようにしても良い。そのようなメッセージとしては、たとえば、「電圧コードの結線が正しくない可能性があります。ご確認願います。」といったものがある。また、図６における「戻る」の表示部１２３を選択し、決定キー５３を押下すると、ステップＳ５の処理へと戻る。また、ユーザが図６における「終了」の表示部１２４を選択し、決定キー５３を押下すると、以後のステップＳ７以降の設定ナビゲーション機能に関する動作が終了し、通常の画面の表示へと移行する。
【００４２】
なお、このステップＳ６における判定においては、測定された電圧が所定の閾値（第１閾値とする）以下または第１閾値未満のときに、電圧結線が正しくないと判定するようにしても良い。また、単相２線以外で電圧値の小さい方が大きい方に対する割合が、所定の閾値（第２閾値とする）以下または第２閾値未満のときに、電圧結線が正しくないと判定するようにしても良い。また、それぞれ測定された電圧値の位相が、本来あるべき位相の値から所定の閾値（第３閾値とする）以上または第３閾値を超えた場合に、電圧位相が正しくないと判定するようにしても良い。なお、第１閾値としては、たとえば５０Ｖとするものがあり、第２閾値としては、たとえば７０％とするものがあり、第３閾値としては、たとえばプラスマイナス１０％とするものがある。
【００４３】
ここで、ステップＳ６において、電圧結線について注意を促す旨のメッセージが表示されたにも拘わらず、「次へ」の表示部１２２を選択して決定キー５３を押下したときには、ステップＳ６の処理に移行させないようにしても良いが、移行させるようにしても良い。
【００４４】
ステップＳ７：次に、処理部３０での表示制御に基づいて、表示パネル６１に、たとえば図７に示すような電流結線図が存在する画面表示１３０を表示させる。このときの電流結線図は、上述したステップＳ４で設定された、あるいは既に設定されている結線方式に対応するものを表示させる。なお、ステップＳ６においては、電圧結線が正しいか否かの判定を行っていたが、このステップＳ７においては、「次へ」の表示部１３１を選択して決定キー５３を押下しても、電流結線が正しいか否かの判定は行わない。なぜならば、電流結線が正しくても電流レンジが適切でない場合もあるからであり、このステップＳ７では電流結線が正しいか否かの判定は行わない。
【００４５】
なお、図７における「次へ」の表示部１３１を選択し、決定キー５３を押下すると、ステップＳ８の処理へと移行し、「戻る」の表示部１３２を選択し、決定キー５３を押下すると、ステップＳ６の処理へと戻る。また、ユーザが図７における「終了」の表示部１３３を選択し、決定キー５３を押下すると、以後のステップＳ８以降の設定ナビゲーション機能に関する動作が終了し、通常の画面の表示へと移行する。
【００４６】
ステップＳ８：次に、処理部３０での表示制御に基づいて、図８に示すような電流測定値を表示させると共に、電流レンジの設定のための画面表示１４０を表示させる。この電流レンジの設定においては、電流レンジを複数の選択肢の中から選択する電流レンジ選択部１４１が表示される。
【００４７】
かかる電流レンジ選択部１４１での電流レンジの設定においては、当該電流レンジが小さすぎると、測定中にオーバーレンジになってしまう。また、電流レンジが大きすぎると、測定の誤差が大きくなり、正確な電流の測定ができなくなる。そのため、適切な電流レンジを設定すべき旨のメッセージが表示される。そのようなメッセージとしては、たとえば、「負荷の定格、稼働状況やブレーカなどの定格から、適切なレンジを選択します。」といったものがある。
【００４８】
なお、図８における「次へ」の表示部１４２を選択し、決定キー５３を押下すると、ステップＳ９の処理へと移行し、「戻る」の表示部１４３を選択し、決定キー５３を押下すると、ステップＳ７の処理へと戻る。また、ユーザが図８における「終了」の表示部１４４を選択し、決定キー５３を押下すると、以後のステップＳ９以降の設定ナビゲーション機能に関する動作が終了し、ステップＳ１４における通常の画面の表示へと移行する。
【００４９】
ステップＳ９：次に、処理部３０は、電流結線の確認のための画面表示１５０を表示させる。たとえば、図９に示すように、必要に応じてベクトル図を表示させると共に、各クランプセンサ７２から入力される電流値および位相、電力、基本波力率等の各項目が表示される。また、図９に示す画面表示１５０には、各項目の中で正しいか否かを判定可能なものに関しては、その判定を行うと共に、その判定結果についての電流判定結果表示部１５１を表示させる。この電流判定結果表示部１５１では、判定の結果、正しくない項目がある場合には、その項目が正しくない旨が表示される。正しくない旨の表示としては、図９では、「ＦＡＩＬ」という文字表示と、該当する項目とを表示させ、さらには、これら文字表示および該当項目を赤等のような注意をイメージする着色にて表示するものがある。すなわち、判定の結果、正しくない項目がある場合には、その項目は、正しい項目と色分けして表示される。
【００５０】
なお、このステップＳ９における判定においては、測定された電流値の電流レンジに対する割合が所定の閾値（第４閾値とする）以下または第４閾値未満のときに、電流結線が正しくないと判定するようにしても良い。また、測定された電流値の電流レンジに対する割合が所定の閾値（第５閾値とする）以下または第５閾値未満のときに、電流結線について要チェックと判定するようにしても良い。また、三相３線式、三相４線式の電流結線を行った場合に、電流位相の相順が逆相となっている場合に、正しくないと判定するようにしても良い。
【００５１】
また、三相３線式、三相４線式の電流結線を行った場合に、各相の電圧を基準にして、各相の電流が所定の角度閾値以上の場合（範囲外の場合；第６閾値とする）または第６閾値を超える場合に、正しくないと判定するようにしても良い。この場合は、たとえば、各相において電流位相Ｉｎと電圧位相Ｕｎの差を算出して、上述の判定が判定される。また、力率が所定の閾値（第７閾値とする）以下または第７閾値未満のときに、電流結線が正しくないと判定するようにしても良い。
【００５２】
なお、第４閾値としては、たとえば電流レンジの１％とするものがあり、第５閾値としては、たとえば電流レンジの１０％とするものがある。また、第６閾値としては、たとえばプラスマイナス９０度とするものがあり、第７閾値としては、たとえば０．５とするものがある。
【００５３】
以上のようなステップＳ９での判定に基づく電流判定結果表示部１５１の存在により、ユーザは、電流結線においてどこが間違っているのかを容易に認識可能となる。なお、ステップＳ９において、正しくない項目があるにも拘わらず、「次へ」の表示部１５２を選択して決定キー５３を押下したときには、ステップＳ１０の処理に移行させないようにしても良いが、移行させるようにしても良い。なお、図９において「戻る」の表示部１５３を選択し、決定キー５３を押下すると、ステップＳ８の処理へと戻る。また、図９における「終了」の表示部１５４を選択し、決定キー５３を押下すると、以後のステップＳ１０以降の設定ナビゲーション機能に関する動作が終了し、通常の画面の表示へと移行する。
【００５４】
ステップＳ１０：続いて、処理部３０での表示制御に基づいて、表示パネル６１に、図１０に示すような画面表示１６０を表示させて、記録設定を行う。この記録設定においては、測定したデータを保存（記憶）させるインターバル（保存インターバル）を複数の選択肢の中から選択するインターバル選択部１６１と、測定データを保存する期間を複数の選択肢の中から選択する期間選択部１６２と、保存（記憶）させる項目（保存項目）を複数の選択肢の中から選択する項目選択部１６３と、記録開始方法を複数の選択肢の中から選択する開始方法選択部１６４と、記録終了方法を複数の選択肢の中から選択する終了方法選択部１６５と、ファイル名の設定を複数の選択肢の中から選択するファイル名選択部１６６等がある。
【００５５】
なお、保存インターバルの設定とは、たとえば、測定データを保存（記憶）する時間間隔の設定を指す。図１０に示す例では、たとえば５分間隔毎に測定データを保存（記憶）させる場合が示されているが、この時間間隔は選択的または任意に種々設定可能である。また、保存項目の設定とは、たとえば、通常測定される電圧値、電流値の測定をＯＮとするかＯＦＦとするか、高調波の測定をＯＮとするかＯＦＦとするか、測定されるデータの平均値、測定されるデータの瞬時の値（瞬時値）、測定されるデータの最大値、測定されるデータの最小値等がある。
【００５６】
なお、図１０における「次へ」の表示部１６７を選択し、決定キー５３を押下すると、ステップＳ１１の処理へと移行するが、「戻る」の表示部１６８を選択し、決定キー５３を押下すると、ステップＳ９の処理へと戻る。また、ユーザが図１０における「終了」の表示部１６９を選択し、決定キー５３を押下すると、以後のステップＳ１１以降の設定ナビゲーション機能に関する動作が終了し、ステップＳ１４における通常の画面の表示へと移行する。
【００５７】
ステップＳ１１：次に、処理部３０での表示制御に基づいて、図１１に示すような画面表示１７０を表示パネル６１に表示させる。この画面表示１７０においては、保存可能時間を表示させると共に、記録を開始しても良いか否かの問い合わせ（開始確認選択部１７１）を表示させる。この開始確認選択部１７１では、記録を開始しても良い場合（「はい」の場合）には、開始／停止キー５１ｅを押下する。また、記録の開始を行わない場合（「いいえ」の場合）には、取消キー５１ｈを押下するが、この取消キー５１ｈを押下した場合には、ステップＳ１４における通常の画面表示が表示される。
【００５８】
なお、開始確認選択部１７１内の「はい」の表示部および「いいえ」の表示部をそれぞれ選択可能としても良い。また、ステップＳ１１に到達した場合に、取消キー５１ｈを押下しても、ここまでの設定状態で、後ほど開始／停止キー５１ｅを押下することにより、ステップＳ１２以降の処理へと移行可能となる。また、図１１における「次へ」の表示部１７２を選択し、決定キー５３を押下すると、ステップＳ１２の処理へと移行する。また、ユーザが図１１における「終了」の表示部１７３を選択し、決定キー５３を押下すると、以後のステップＳ１２以降の設定ナビゲーション機能に関する動作が終了し、ステップＳ１４における通常の画面の表示へと移行する。
【００５９】
ステップＳ１２：ステップＳ１１で開始／停止キー５１ｅを押下すると、処理部３０での表示制御に基づいて、記録開始処理がなされ、直ぐに記録が行える待機状態となる。また、待機状態となると共に、表示パネル６１に図１２に示すような画面表示１８０が表示される。この画面表示１８０では、測定の開始に関する開始情報が表示されるが、この開始情報には、いつ記録が開始されるかの開始情報が含まれる。なお、図１２に示すような待機状態のメッセージと開始情報を示す画面は、その画面表示１８０の中の「閉じる」の表示部に対応するいずれかのキーを押下することにより、画面表示１８０が閉じ状態となる。
【００６０】
なお、ステップＳ１２の段階で、既に測定データの取得を行うが記録は行わないものとしても良いが、ステップＳ１２においては、測定データの取得は行わないものとしても良い。
【００６１】
ステップＳ１３：ステップＳ１２の表示パネル６１で表示される開始情報の時刻に到達すると、測定データを取得いつつ、取得された測定データの記憶（記録）を開始する。そして、測定データの記録が開始されると、図１３に示すような画面表示１９０が表示される。この画面表示１９０の中には、記録の停止を案内する停止案内表示部も表示される。そして、画面表示１９０の中の「閉じる」の表示部に対応するいずれかのキーを押下することにより、画面表示１９０が閉じ状態となる。また、停止案内表示部に対応する開始／停止キー５１ｅを押下した場合には、測定データの記録が停止される。
【００６２】
ステップＳ１４：ステップＳ２およびステップＳ１２において「いいえ」の選択に対応するキーを押下した場合、またはステップＳ４、Ｓ６〜１１において「終了」の表示部１０６，１２４，１３３，１４４，１５４，１６９，１７３を選択して決定キー５３を押下した場合、設定ナビゲーション機能は終了し、通常の画面表示へと戻る。なお、「終了」を押下した場合には、それまでに設定された項目については、記憶部４０の測定データ記憶部４４に記憶されている。また、次に設定ナビゲーション機能を開始した場合には、それまでに設定された項目の再度の設定は要求されずに、未設定の設定項目の設定を開始するようにしても良い。ただし、既に設定された項目を表示させながら、図３に示す全ての処理フローを実行するようにしても良い。
【００６３】
＜効果＞
以上のような構成の電力測定装置１０によると、簡易に各種の設定項目の設定を行うことが可能となる。より具体的には、本実施の形態では、処理部３０は、結線方式を選択した後に、電圧結線図を表示パネル６１に表示させるように制御している。そのため、ユーザは、結線方式に基づいた電圧結線図を確認しながら電圧結線を行うことが可能となり、電圧結線の間違いを防止することが可能となる。また、電圧結線図が表示される場合には、電流結線に関する図は表示されないため、ユーザの電圧結線の間違いをより効果的に防止可能となる。
【００６４】
また、本実施の形態では、処理部３０は、電流結線図を表示させた後に、電流の測定値と共に電流レンジを選択するための電流レンジ選択部１４１を表示パネル６１に表示させるように制御している。このため、ユーザは、電流結線図を確認しながら電流結線を行うことが可能となり、電流結線の間違いが防止可能となる。また、電流の測定値と共に電流レンジ選択部１４１が表示されるため、電流レンジの選択間違いが防止可能となる。
【００６５】
また、本実施の形態では、処理部３０は、電圧結線図の表示に際して、電圧結線が正しいか否かを判定し、その判定結果を示す電圧判定結果表示部１２１を表示パネル６１に表示させるように制御している。このため、ユーザは、電圧結線が行った後に、その電圧結線が正しいか否かを容易に認識可能となる。また、処理部３０では、電流結線の判定とは別に、電圧結線の判定のみを行うように制御しているため、電圧結線の接続誤りを容易に特定可能となる。
【００６６】
また、本実施の形態では、処理部３０は、電流レンジ選択部１４１での電流レンジの後に、電流結線が正しいか否かを判定し、その判定結果を示す電流判定結果表示部１５１を表示パネル６１に表示させるように制御している。このため、ユーザは、電流結線が行った後に、その電流結線が正しいか否かを容易に認識可能となる。また、処理部３０では、電圧結線の判定とは別に、電流結線の判定のみを行うように制御しているため、電流結線の接続誤りを容易に特定可能となる。
【００６７】
また、本実施の形態では、処理部３０は、ステップＳ１〜Ｓ１３の画面表示の一連の表示順序において、ステップＳ６の電圧判定結果表示部１２１を表示させた後に、ステップＳ７にて電流結線図を表示パネル６１に表示させる制御を行っている。すなわち、電流結線図の表示および電流結線の正誤の判定よりも先に、電圧結線の正誤の判定を行っている。ここで、電流結線の正誤の判定は、結線が間違っているのか、それとも電流レンジの設定が適切でないのかが判別し難い。このため、電流結線の正誤および電流レンジの設定よりも先に、電圧結線の正誤の判定を行うようにすれば、先ずは電圧結線を正しいものとすることが可能となり、電力測定装置の扱いに慣れていないユーザであっても、当該電力測定装置１０の設定を容易化することが可能となる。
【００６８】
また、本実施の形態では、処理部３０は、電流結線の正誤の判定を行った後に、電力の測定開始を確認するための開始確認選択部１７１を表示パネル６１に表示させるように制御している。このため、電力測定装置１０の設定は行ったものの、開始／停止キー５１ｅの押下を忘れて、電力の測定開始が行われない、という事態が生じるのを防止可能となる。
【００６９】
また、本実施の形態では、図３に示す処理フローにおいては、処理部３０は、ステップＳ４、Ｓ６〜１０において「終了」の表示部１０６，１２４，１３３，１４４，１５４，１６９，１７３を選択して決定キー５３を押下した場合、設定ナビゲーション機能は終了し、通常の画面表示へと戻るように制御している。このとき、それまでに設定された項目については、記憶部４０の設定データ記憶部４３に記憶されている。そのため、設定の途中段階で設定ナビゲーション機能を終了させて、別の設定等を行う等することが可能となり、ユーザの利便性を向上させることが可能となる。
【００７０】
＜変形例＞
以上、本発明の一実施の形態について説明したが、本発明はこれ以外にも種々変形可能となっている。以下、それについて述べる。
【００７１】
上述の実施の形態においては、図６に示すような電圧結線図を表示させた後に、図７に示すような電流結線図を表示させるようにしている。しかしながら、電圧結線図の表示よりも先に電流結線図を表示させるようにしても良い。この場合には、電圧結線の正誤の判定よりも先に、電流結線の正誤の判定を行うことが好ましい。このため、図３におけるステップＳ７〜Ｓ９の処理を、ステップＳ６の処理よりも先に行うようにしても良い。
【００７２】
また、上述の実施の形態では、ステップＳ６の電圧結線図の表示、ステップＳ７の電流結線図の表示およびステップＳ８の電流レンジの設定は行うものの、図３におけるその他の処理は設定ナビゲーション機能にて実行せずに、他の設定等において実行するようにしても良い。なお、この場合において、ステップＳ６における電圧結線の正誤の判定を行うようにしても良く、行わないようにしても良い。また、ステップＳ９における電流結線の正誤の判定を行うようにしても良く、行わないようにしても良い。
【００７３】
また、上述の実施の形態では、画面表示１００〜１９０の中には、複数の選択肢の中から選択を行う選択部１０１，１０２，１０３，１０４，１４１，１６１，１６２，１６３，１６４，１６５，１６６，１７１について説明している。しかしながら、かかる選択部においては、選択肢の中からいずれかを選択するものとはせずに、たとえば選択肢に対応する数値を入力することで選択を行うようにしたり、選択肢に対応する文字入力を行うことによって選択を行うようにしても良い。
【符号の説明】
【００７４】
１０…電力測定装置、２０…入力部、２１，２２…入力端子、３０…処理部（表示制御部に対応）、４０…記憶部、４１…プログラム記憶部、４２…ナビ用データ記憶部、４３…設定データ記憶部、４４…測定データ記憶部、５０…設定部（設定手段に対応）、５１ａ…機能キー、５１ａ…測定キー、５１ｂ…設定キー、５１ｃ…ファイルキー、５１ｄ…結線キー、５１ｅ…停止キー、５１ｆ…画面コピーキー、５１ｇ…設定ナビキー、５１ｈ…取消キー、５１ｉ…ファンクションキー、５２…カーソルキー、５３…決定キー、６０…表示部、６１…表示パネル（表示装置に対応）、６２…駆動回路、７１…電圧コード、７２…クランプセンサ、１００，１１０，１２０，１３０，１４０，１５０，１６０，１７０，１８０，１９０…画面表示、１０１…結線方式選択部、１０２…センサ選択部、１０３…保存先選択部、１０４…時計設定選択部、１０５，１０６，１１１，１１２，１２２〜１２４，１３１〜１３３，１４２〜１４４，１５２〜１５４，１６７〜１６９，１７２，１７３…表示部、１２１…電圧判定結果表示部、１４１…電流レンジ選択部、１５１…電流判定結果表示部、１６１…インターバル選択部、１６２…期間選択部、１６３…項目選択部、１６４…開始方法選択部、１６５…終了方法選択部、１６６…ファイル名選択部、１７１…開始確認選択部
【図１】
2014025806.tif 000003
【図２】
2014025806.tif 000004
【図３】
2014025806.tif 000005
【図４】
2014025806.tif 000006
【図８】
2014025806.tif 000007
【図１０】
2014025806.tif 000008
【図１１】
2014025806.tif 000009
【図１２】
2014025806.tif 000010
【図１３】
2014025806.tif 000011
【図５】
2014025806.tif 000012
【図６】
2014025806.tif 000013
【図７】
2014025806.tif 000014
【図９】
2014025806.tif 000015